(57)【要約】【課題】  表面部材のヒビ割れ、柔軟性が悪い、コストアップ、コバ処理のはみ出しなど。【解決手段】  表面部材１と裏面部材２を、柔軟性を有する中芯部材５に接合した時計バンドで、裏面部材２は２層構造で、柔軟性を有する第１の裏面部材３は中芯部材５の裏面より表面にへり返して開口部を形成し、表面部材１で開口部を覆うと共に、機能を有する第２の裏面部材４を第１の裏面部材３の底面に貼付する。第１の裏面部材３の色調を、表面部材１の色調と略同色に揃える。表面部材１は表面のみに使用し、第１の裏面部材３をへり返すため、ヒビ割れの発生がなく、高級感もある。ソフト感を有する材料を中芯部材５に使用するので柔軟性が増す。よって、色調が調和し、機能性も兼ね備えた高級皮バンドが提供できる。【選択図】  図１
2006255131.tif 000002
【特許請求の範囲】
【請求項１】
表面部材と裏面部材を中芯部材に接合した時計バンドにおいて、前記裏面部材は２層構造で、第１の裏面部材は前記中芯部材の裏面より表面にへり返して開口部を形成し、該開口部を前記表面部材で塞ぐと共に、第２の裏面部材は前記第１の裏面部材の底面に貼付したことを特徴とする時計バンド。
【請求項２】
前記第１の裏面部材の色調を、前記表面部材の色調に合わせたことを特徴とする請求項１に記載の時計バンド。
【請求項３】
前記第１の裏面部材の色調を、前記表面部材の色調に合わせると共に、前記第２の裏面部材は機能を持たせた皮革を使用したことを特徴とする請求項１または２に記載の時計バンド。
【請求項４】
前記第１の裏面部材にコバ処理を行ったことを特徴とする請求項１から３のいずれかに記載の時計バンド。
【請求項５】
前記第１の裏面部材にコバ処理を行ったコバ処理部の色調を、前記表面部材の色調に合わせたことを特徴とする請求項４に記載の時計バンド。
【請求項６】
前記第１の裏面部材に行ったコバ処理部の色調を、前記表面部材の色調に合わせると共に、前記第２の裏面部材は機能を持たせた皮革を使用したことを特徴とする請求項４または５に記載の時計バンド。
【発明の詳細な説明】
【技術分野】
【０００１】
本発明は、一般に腕時計に使用される時計バンドに係り、詳しくは、高級な皮製の時計バンドに関する。
【背景技術】
【０００２】
従来、一般的に使用されている皮製の時計バンドの構造は、天然皮革片又は合成皮革片を重ね合わせるのに、皮革片同士の間に、バンドの形状に形成された合成樹脂からなる中芯部材であるバンド基板を挿設していた（例えば、特許文献１参照）。
【０００３】
【特許文献１】実開昭５２−１６０３６７号（第５頁、図３）  上記した特許文献１に開示されている時計バンドは、図４及び図５に示すように、時計取付け端部１０を部厚にし、他端１１に行くに従って薄肉に形成された合成樹脂よりなる中芯部材１２を作り、該中芯部材１２の裏面（携帯時に腕と接触する面）の中央部に開口部を形成するように、ワニ、トカゲなどの天然皮革よりなる表面部材１３で覆う。そして、前記中芯部材１２の裏面の開口部を塞ぐように合成皮革などよりなる裏面部材１４を裏面に貼付する。裏面部材１４に天然皮革を用いても良いが、アレルギーの問題もあるため、天然皮革を使用する場合は、膜を塗布するなど、表面に何らかの処理を行った方が良い。この時計バンドの構造は、一般にへり返し仕立てと呼ばれ、多くの皮バンド構造に採用されている。表面から裏面にかけて面材をへり返す構造は、側面から見ても、質感の高い出来栄えとなり外観性に優れている。
【０００４】
また、図６に示す従来例は、前記裏面部材１４を前記中芯部材１２の裏面より表面にへり返して開口部を形成し、該開口部を前記表面部材１３で覆うようにして接合することにより時計バンドを構成する。この時計バンドの構造は、一般にフランス仕立てと呼ばれ、古くから、高級時計のバンドとして使用される構造である。表面部材１３のみ天然皮革を使用すれば天然皮革を使用する面積が少なくてすむため、ワニ、トカゲなどの天然皮革の資源の節約（エコロジー）になりコスト低減に役立つ。また、ソフト感を有する材料を中芯部材１２に使用することで、ソフト感も十分出すことが可能である。
【０００５】
更に、図７に示す従来例は、コバ面（側面）にコバ処理を行ったものである。一般に、コバ処理は、コバ面（側面）に毛羽立ちを抑える処理を施すものであり、中芯部材１２が表出するコバ面が割れ難く、美しい艶がでるコバ処理剤を使用している。前記コバ処理面１５の色調は、前記表面部材１３の色調と略同色に揃えた方が好ましい。この時計バンドの構造は、一般にコバ処理仕立てと呼ばれ、古くは廉価版であったが、近年は高級時計のバンドとして良く見かける構造である。表面のみワニ、トカゲなどの天然皮革よりなる表面部材を使用しても、コバ処理技術とコバ処理剤の仕様により高級感が可能で、また、ソフト感を有する材料を中芯部材１２に使用することで、よりよいソフト感を実現できる。表面部材１３の色調とコバ処理面１５の色調を略同一にすることにより、色調に調和が取れて違和感はない。
【発明の開示】
【発明が解決しようとする課題】
【０００６】
図５に示す時計バンドは、ワニ、トカゲなどの天然皮革を表面部材１３に用いると、表面部材１３である天然皮革がへり返す構造のため、腕に携帯した状態において皮バンドの柔軟性（なじみ）に難点があり、腕にフィットせずに時計装着時に腕とケース（裏蓋）の間に隙間が生じてしまう。また、表面部材１３を使用する面積が広いためコストアップになると同時に資源の節約（エコロジー）にならない。更に、へり返し部に位置する天然皮
革の部分にヒビが入り、割れ易いなどの致命的な問題がある。
【０００７】
また、図６に示す従来例は本来ならば、裏面部材１４に柔軟性（しなやかさ）や防水、防汗処理などの機能を持たせた皮革（天然、合成）を使用したバンドとしたいが、例えば、しやなかさを出すために起毛させた皮革を使用するとへり返し部１４ａ（側面）で毛羽立ちが顕著になってしまうため、裏面部材１４に使用できないという材料の制約の問題がある。
【０００８】
さらに、図７に示す従来例は、表面部材１３の表面の色調と、コバ処理したコバ処理面１５の色調とを略同一にすることができるが、側面に表面部材１３、中芯部材１２、裏面部材１４が表出するので、バンドとして形状を揃えるために表面部材１３と裏面部材１４を中芯部材１２に貼り合わせ、裁断などで形状を整えた後にコバ処理を行う。よって、処理液が表面部材１３や裏面部材１４にはみ出してしまうことが多々あり、後処理が不可欠である。
【０００９】
本発明は、上述の欠点を解消するもので、その目的は、表面に天然皮革を使用して高級感を持たせると共に、ソフト感を有する材料を中芯部材に使用してソフト感を持たせる。さらに、裏面部材を２層構造にして、外観品質が優れ、かつヒビ割れのない、なじみに優れた高級皮製の時計バンドを提供するものである。
【課題を解決するための手段】
【００１０】
上記目的を達成するために、本発明における時計バンドは、表面部材と裏面部材を中芯部材に接合した時計バンドにおいて、前記裏面部材は２層構造で、第１の裏面部材は前記中芯部材の裏面より表面にへり返して開口部を形成し、該開口部を前記表面部材で塞ぐと共に、第２の裏面部材は前記第１の裏面部材の底面に貼付したことを特徴とする。
【００１１】
また、前記第１の裏面部材の色調を、前記表面部材の色調に合わせたことを特徴とする。
【００１２】
また、前記第１の裏面部材の色調を、前記表面部材の色調に合わせると共に、前記第２の裏面部材は機能を持たせた皮革を使用したことを特徴とする。
【００１３】
また、前記第１の裏面部材にコバ処理を行ったことを特徴とする。
【００１４】
また、前記第１の裏面部材にコバ処理を行ったコバ処理部の色調を、前記表面部材の色調に合わせたことを特徴とする。
【００１５】
また、前記第１の裏面部材に行ったコバ処理部の色調を、前記表面部材の色調に合わせると共に、前記第２の裏面部材は機能を持たせた皮革を使用したことを特徴とする。
【発明の効果】
【００１６】
本発明の時計バンドは、表面に天然皮革を使用したので、高級感を保持している。また、へり返し面には柔軟性などの機能を持たせた皮革（天然、合成）を配設するため、ヒビ割れもなく、柔軟性（なじみ）も有する。更に、バンドを形成する各部材の色調に違和感がなく、外観品質が優れた高級皮製の時計バンドを提供することが可能である。
【発明を実施するための最良の形態】
【００１７】
本発明の時計バンドについて、図面に基づいて説明する。
【実施例１】
【００１８】
図１及び図２は、本発明の実施例１に係わり、図１は、一方の時計バンドの一部断面を示す斜視図、図２は、図１の部分斜視図である。図１、図２において、時計バンドは従来例で説明したフランス仕立てに、更に裏面部材を積層・貼付したものである。即ち、ワニ、トカゲなどの天然皮革などよりなる表面部材１と、柔軟性、起毛や、防水、防汗処理などの機能を持たせた皮革（天然、合成）からなる裏面部材２を中芯部材５に接合して構成されている。
前記裏面部材２は第１の裏面部材３と第２の裏面部材４の２層構造にする。最後に表面部材１から裏面部材２を挿通するようにミシンかけを行いステッチ（図示せず）を入れたり、接合部を公知の接着剤等で接着することでバンドとして完成する。
【００１９】
前記第１の裏面部材３は柔軟性を有するような機能を持たせた皮革を使用して、前記中芯部材５の裏面より表面にへり返して開口部を形成し、該開口部を前記表面部材１で塞ぐように配設する。従って、天然皮革などからなる表面部材１をバンドの表面に使用し、側面には表面部材１が位置しない。前記第１の裏面部材３を、前記表面部材１の表面の色調と略同色とすれば、へり返し部３ａと表面部材１の色調を調和させることが可能になる。また、第２の裏面部材４を前記第１の裏面部材３の底面に貼付する。前記第２の裏面部材４には起毛など機能を持たせた皮革を使用して、装着感を向上させる。
【００２０】
つまり、第１の裏面部材３は、色調を優先させ、かつ柔軟性を有する皮革を、第２の裏面部材４は、機能を優先させる皮革を使用することで、色調、機能性を共に兼ね備えたバンドにすることが可能になる。
【００２１】
上述した構成の時計バンドは、表面部材１がワニ、トカゲなどの天然皮革などで高級感を満たすと同時に、側面には表面部材１が位置しないので、ひび割れなどが起こりにくい。色調を優先し、かつ柔軟性を有する第１の裏面部材３を表面にへり返すため、視認されるへり返し部３ａの色調は、表面部材１の色調と調和する。さらに、第１の裏面部材３は柔軟性があるため、腕にフィット、つまり、時計装着時に腕とケース（裏蓋）の間に隙間が生じることもない。また、前記第２の裏面部材４の裏面（携帯時に腕と接触する面）は機能を持たせた皮革を使用して、例えば、フィット感を出すようにする。起毛などを施した皮革を第２の裏面部材４に使用すれば、へり返し部３ａは第１の裏面部材３であって第２の裏面部材４ではない、つまり起毛ではないので、従来例のように毛羽立ちが顕著になることもない。さらに、ソフト感を有する中芯部材５を使用することで、ソフト感もより十分に出すことが可能である。
つまり、高級感、柔軟性があり、ヒビ割れの発生がなく、携帯時に腕にフィットする（なじむ）高級皮バンドを提供することができる。
【実施例２】
【００２２】
図３は、本発明の実施例２に係わる時計バンドの断面図である。図３において、時計バンドは、従来例で説明したフランス仕立てに、裏面部材を貼付し、更に、コバ処理を行ったものである。即ち、上記した実施例１と異なるところは、前記第１の裏面部材３にコバ処理を行い、そのコバ処理部６の色調を前記表面部材１の表面の色調と略同色にしたところである。
【００２３】
上述した構成の時計バンドは、上記した実施例１と同様に、表面に使用する表面部材１は天然皮革などで高級感があり、第１の裏面部材３の側面は表面部材１と同色のコバ処理が施されるため色調は実施例１よりさらに調和する。
なお本構造では従来例のように側面の形状を揃える必要がないため、各部材の接合前に予めコバ処理を第１の裏面部材３に行える。つまり、側面に位置する部分より広めにコバ処理を行っておく事が出来る。これは、コバ処理剤が、表面や裏面に広がって（はみ出て）しまったとしても表面部材１や第２の裏面部材４で隠れてしまうため、はみ出ないこと
に値する。また、ソフト感を有する材料を使用した中芯部材５を使用することで皮バンドの柔軟性が増し、携帯時に腕にフィットする。よって、実施例１と同様に、ヒビ割れの発生がない外観品質に優れた高級皮バンドを安価に提供することができる。
なお、表面部材に起毛、防水、防汗加工など、機能を持たせた皮革を使用しても問題ないことは言うまでもない。
また、表面部材、裏面部材とも皮革を用いず、同様の機能をもつような材料を使用しても問題ない。
【００２４】
以上述べたように、本発明の時計バンドは、裏面部材を２層構造にする構造の皮バンドで、外観性、柔軟性（なじみ）、ヒビ割れ、価格、技術難易度、資源性に優れた高級皮バンドを市場に提供することが可能である。
【図面の簡単な説明】
【００２５】
【図１】本発明の実施例１に係る一方の時計バンドの一部断面を示す斜視図である。
【図２】図１の部分斜視図である。
【図３】本発明の実施例２に係る時計バンドの一部断面を示す部分斜視図である。
【図４】従来の一方の時計バンドの一部断面を示す斜視図である。
【図５】図４の部分斜視図である。
【図６】他の従来の時計バンドの一部断面を示す部分斜視図である
【図７】更に従来の時計バンドの一部断面を示す部分斜視図である。
【符号の説明】
【００２６】
１  表面部材
２  裏面部材
３  第１の裏面部材
３ａ  へり返し部
４  第２の裏面部材
５  中芯部材
６  コバ処理部
【図１】
2006255131.tif 000003
【図２】
2006255131.tif 000004
【図３】
2006255131.tif 000005
【図４】
2006255131.tif 000006
【図５】
2006255131.tif 000007
【図６】
2006255131.tif 000008
【図７】
2006255131.tif 000009